(57)【要約】【課題】業務用扇風機を利用して空気に含まれる臭気成分やたばこ臭、ノネナール臭を取り除くことができ、業務用扇風機による送風と同時に清浄な空気を送風することができる扇風機用脱臭具を提供する。【解決手段】扇風機用脱臭具１０は、業務用扇風機のモーターケースの直後に配置され、業務用扇風機の後ガードから羽根に流入する空気の臭気成分を脱臭する脱臭カートリッジ１２と、脱臭カートリッジ１２をモーターケースの後方に位置させるホルダー１３とから形成されている。ホルダー１３は、直線状及び曲線状に変形しつつ変形した状態を保持可能なフレキシブルチューブ３７と、フレキシブルチューブ３７の下端部４０に設置されて業務用扇風機のモーターケースの下方に延びるヘッド部を挟み込む第１クリップ３８と、フレキシブルチューブ３７の上端部４４に設置されて脱臭カートリッジ１２の外周縁部を挟み込む第２クリップ３９とから形成されている。【選択図】図１
0003218570.tif 000002
【実用新案登録請求の範囲】
【請求項１】
所定面積の空気流出前面及び空気流入後面を有して業務用扇風機のモーターケースの直後に配置され、前記業務用扇風機の後ガードから羽根に流入する空気の臭気成分を脱臭する脱臭カートリッジと、前記脱臭カートリッジを支持しつつ該脱臭カートリッジを前記モーターケースの後方に位置させるホルダーとから形成され、前記ホルダーが、直線状及び曲線状に変形しつつ変形した状態を保持可能なフレキシブルチューブと、前記フレキシブルチューブの下端部に設置されて前記業務用扇風機のモーターケースの下方に延びるヘッド部を挟み込む第１クリップと、前記フレキシブルチューブの上端部に設置されて前記脱臭カートリッジの外周縁部を挟み込む第２クリップとから形成されていることを特徴とする扇風機用脱臭具。
【請求項２】
前記扇風機用脱臭具では、前記ヘッド部に対する前記第１クリップの挟み込み位置を上下方向に変更するとともに、前記フレキシブルチューブを直線状又は曲線状に変形させることで、前記脱臭カートリッジの空気流出前面を前記モーターケースの直後であって前記業務用扇風機の後ガードに平行させることが可能である請求項１に記載の扇風機用脱臭具。
【請求項３】
前記扇風機用脱臭具では、前記ヘッド部に対する前記第１クリップの挟み込み位置を上下方向へ移動させることで、前記業務用扇風機の後ガードの中心に対する前記脱臭カートリッジの中心の位置を前記後ガードの中心から上方又は下方に移動させることが可能であり、前記フレキシブルチューブを直線状又は曲線状に変形させることで、前記脱臭カートリッジの空気流出前面の前記モーターケースとの離間寸法を変更可能であり、前記脱臭カートリッジの空気流出前面の前記後ガードに対する傾斜角度を変更可能である請求項２に記載の扇風機用脱臭具。
【請求項４】
前記脱臭カートリッジが、連続気泡を有する所定厚みの軟質ポリウレタンフォームと、臭気を吸着する活性炭粉末とから作られ、前記軟質ポリウレタンフォームが、該軟質ポリウレタンフォームの前面と後面との間に延びる複数の通気路と、前記通気路につながって前面と後面とに開口する複数の通気口とを有し、前記活性炭粉末が、所定のバインダーによって前記軟質ポリウレタンフォームの通気路の壁面に固着され、前記脱臭カートリッジでは、前記軟質ポリウレタンフォームの前面全域と後面全域とのうちのいずれか一方がフィルタ機能を有する通気性シートに包被され、前記軟質ポリウレタンフォームの前面全域と後面全域とのうちのいずれか他方が複数の網目を有する通気性ネットに包被されている請求項１ないし請求項３いずれかに記載の扇風機用脱臭具。
【請求項５】
前記脱臭カートリッジが、前記軟質ポリウレタンフォームを支持する支持フレームを含み、前記支持フレームが、前記軟質ポリウレタンフォームの外周縁を支持する外周フレームと、前記外周フレームに繋がって該外周フレームから径方向内方へ延びる連結フレームとから形成されている請求項４に記載の扇風機用脱臭具。
【請求項６】
前記軟質ポリウレタンフォームのそれら通気路が、前記壁面に囲繞されて前記軟質ポリウレタンフォームの前面と後面との間に延出し、前記前面と後面との間で前記ポリウレタンフォームの厚み方向へ不規則に曲折しながら延びているとともに、前記軟質ポリウレタンフォームの外周縁と中心との間で該ポリウレタンフォームの径方向へ不規則に曲折しながら延びている請求項４または請求項５に記載の扇風機用脱臭具。
【請求項７】
前記径方向へ隣接して前記厚み方向へ曲折して延びるそれら通気路が、前記径方向において部分的に繋がり、前記厚み方向へ隣接して前記径方向へ曲折して延びるそれら通気路が、前記厚み向において部分的に繋がっている請求項６に記載の扇風機用脱臭具。
【請求項８】
それら通気路の開口面積が、前記厚み方向に向かって不規則に変化しているとともに、前記径方向に向かって不規則に変化し、それら通気口の面積が、相違している請求項６または請求項７に記載の扇風機用脱臭具。
【請求項９】
前記軟質ポリウレタンフォームの厚み寸法が、３〜１０ｍｍの範囲にある請求項４ないし請求項８に記載の扇風機用脱臭具。
【請求項１０】
前記軟質ポリウレタンフォームの質量が、３０〜６０ｇの範囲にある請求項４ないし請求項９に記載の扇風機用脱臭具。
【請求項１１】
前記軟質ポリウレタンフォームの面速が、２０〜４０ｃｍ／ｓｅｃの範囲にある請求項４ないし請求項１０に記載の扇風機用脱臭具。
【請求項１２】
前記フィルタ機能を有する通気性シートが、中高性能フィルタ又はＨＥＰＡフィルタである請求項４ないし請求項１０に記載の扇風機用脱臭具。
【請求項１３】
前記フィルタ機能を有する通気性シートが、エレクトレット化されている請求項４ないし請求項１０に記載の扇風機用脱臭具。
【考案の詳細な説明】
【技術分野】
【０００１】
本考案は、業務用扇風機に取り付けられる扇風機用脱臭具に関する。
【背景技術】
【０００２】
扇風機の回転羽根をガードする後ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【考案の概要】
【考案が解決しようとする課題】
【０００４】
前記特許文献１に開示の扇風機用フィルタは、扇風機を通過する空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本考案の目的は、業務用扇風機を利用して空気に含まれる臭気成分やたばこ臭、ノネナール臭を取り除くことができ、業務用扇風機による送風と同時に清浄な空気を送風することができる扇風機用脱臭具を提供することにある。
【課題を解決するための手段】
【０００６】
前記課題を解決するための本考案にかかる扇風機用脱臭具の特徴は、所定面積の空気流出前面及び空気流入後面を有して業務用扇風機のモーターケースの直後に配置され、業務用扇風機の後ガードから羽根に流入する空気の臭気成分を脱臭する脱臭カートリッジと、脱臭カートリッジを支持しつつ脱臭カートリッジをモーターケースの後方に位置させるホルダーとから形成され、ホルダーが、直線状及び曲線状に変形しつつ変形した状態を保持可能なフレキシブルチューブと、フレキシブルチューブの下端部に設置されて業務用扇風機のモーターケースの下方に延びるヘッド部を挟み込む第１クリップと、フレキシブルチューブの上端部に設置されて脱臭カートリッジの外周縁部を挟み込む第２クリップとから形成されていることにある。
【０００７】
本考案の扇風機用脱臭具の一例として、扇風機用脱臭具では、ヘッド部に対する第１クリップの挟み込み位置を上下方向に変更するとともに、フレキシブルチューブを直線状又は曲線状に変形させることで、脱臭カートリッジの空気流出前面をモーターケースの直後であって業務用扇風機の後ガードに平行させることが可能である。
【０００８】
本考案の扇風機用脱臭具の他の一例として、扇風機用脱臭具では、ヘッド部に対する第１クリップの挟み込み位置を上下方向へ移動させることで、業務用扇風機の後ガードの中心に対する脱臭カートリッジの中心の位置を後ガードの中心から上方又は下方に移動させることが可能であり、フレキシブルチューブを直線状又は曲線状に変形させることで、脱臭カートリッジの空気流出前面のモーターケースとの離間寸法を変更可能であり、脱臭カートリッジの空気流出前面の後ガードに対する傾斜角度を変更可能である。
【０００９】
本考案の扇風機用脱臭具の他の一例としては、脱臭カートリッジが、連続気泡を有する所定厚みの軟質ポリウレタンフォームと、臭気を吸着する活性炭粉末とから作られ、軟質ポリウレタンフォームが、軟質ポリウレタンフォームの前面と後面との間に延びる複数の通気路と、通気路につながって前面と後面とに開口する複数の通気口とを有し、活性炭粉末が、所定のバインダーによって軟質ポリウレタンフォームの通気路の壁面に固着され、脱臭カートリッジでは、軟質ポリウレタンフォームの前面全域と後面全域とのうちのいずれか一方がフィルタ機能を有する通気性シートに包被され、軟質ポリウレタンフォームの前面全域と後面全域とのうちのいずれか他方が複数の網目を有する通気性ネットに包被されている。
【００１０】
本考案の扇風機用脱臭具の他の一例としては、脱臭カートリッジが、軟質ポリウレタンフォームを支持する支持フレームを含み、支持フレームが、軟質ポリウレタンフォームの外周縁を支持する外周フレームと、外周フレームに繋がって外周フレームから径方向内方へ延びる連結フレームとから形成されている。
【００１１】
本考案の扇風機用脱臭具の他の一例としては、軟質ポリウレタンフォームのそれら通気路が、壁面に囲繞されて軟質ポリウレタンフォームの前面と後面との間に延出し、前面と後面との間でポリウレタンフォームの厚み方向へ不規則に曲折しながら延びているとともに、軟質ポリウレタンフォームの外周縁と中心との間でポリウレタンフォームの径方向へ不規則に曲折しながら延びている。
【００１２】
本考案の扇風機用脱臭具の他の一例としては、径方向へ隣接して厚み方向へ曲折して延びるそれら通気路が、径方向において部分的に繋がり、厚み方向へ隣接して径方向へ曲折して延びるそれら通気路が、厚み向において部分的に繋がっている。
【００１３】
本考案の扇風機用脱臭具の他の一例としては、それら通気路の開口面積が、厚み方向に向かって不規則に変化しているとともに、径方向に向かって不規則に変化し、それら通気口の面積が、相違している。
【００１４】
本考案の扇風機用脱臭具の他の一例としては、軟質ポリウレタンフォームの厚み寸法が、３〜１０ｍｍの範囲にある。
【００１５】
本考案の扇風機用脱臭具の他の一例としては、軟質ポリウレタンフォームの質量が、３０〜６０ｇの範囲にある。
【００１６】
本考案の扇風機用脱臭具の他の一例としては、軟質ポリウレタンフォームの面速が、２０〜４０ｃｍ／ｓｅｃの範囲にある。
【００１７】
本考案の扇風機用脱臭具の他の一例としては、フィルタ機能を有する通気性シートが、中高性能フィルタ又はＨＥＰＡフィルタである。
【００１８】
本考案の扇風機用脱臭具の他の一例としては、フィルタ機能を有する通気性シートが、エレクトレット化されている。
【考案の効果】
【００１９】
本考案に係る扇風機用脱臭具によれば、ホルダーに支持された脱臭カートリッジが業務用扇風機の後ガードの後方に位置するから、業務用扇風機の後ガードから羽根に流入する前の空気が脱臭カートリッジの空気流出前面から脱臭カートリッジの内部に流入し、その空気に含まれる臭気成分やたばこ臭、ノネナール臭を脱臭カートリッジによって取り除くことができ、その後、臭気成分やたばこ臭、ノネナール臭が取り除かれた清浄な空気が業務用扇風機に流入し、業務用扇風機による送風と同時に清浄な空気を業務用扇風機の前方へ送風することができる。扇風機用脱臭具は、変形自由なフレキシブルチューブを備えたホルダーに脱臭カートリッジが支持され、フレキシブルチューブを変形させることで、脱臭カートリッジを業務用扇風機の後ガードの後方に位置させることができるから、業務用扇風機に流入する前の空気を脱臭カートリッジに確実に流入させることができ、空気に含まれる臭気成分やたばこ臭、ノネナール臭を脱臭カートリッジによって取り除くことができる。
【００２０】
ヘッド部に対する第１クリップの挟み込み位置を上下方向に変更するとともに、フレキシブルチューブを直線状又は曲線状に変形させることで、脱臭カートリッジの空気流出前面をモーターケースの直後であって業務用扇風機の後ガードに平行させることが可能である扇風機用脱臭具は、業務用扇風機のヘッド部に対する第１クリップの挟み込み位置を上下方向へ変更し、フレキシブルチューブを変形させることで、脱臭カートリッジの空気流出前面をモーターケースの直後であって業務用扇風機の後ガードに平行させることができるから、業務用扇風機に流入する前の空気を脱臭カートリッジに確実に流入させることができるとともに、空気に含まれる臭気成分やたばこ臭、ノネナール臭を脱臭カートリッジによって取り除くことができ、業務用扇風機による送風と同時に清浄な空気を業務用扇風機の前方へ送風することができる。
【００２１】
業務用扇風機のヘッド部に対する第１クリップの挟み込み位置を上下方向へ移動させることで、業務用扇風機の後ガードの中心に対する脱臭カートリッジの中心の位置を後ガードの中心から上方又は下方に移動させることが可能であり、フレキシブルチューブを直線状又は曲線状に変形させることで、脱臭カートリッジの空気流出前面のモーターケースとの離間寸法を変更可能であり、脱臭カートリッジの空気流出前面の後ガードに対する傾斜角度を変更可能である扇風機用脱臭具は、業務用扇風機のヘッド部に対する第１クリップの挟み込み位置を上下方向へ移動させることで、業務用扇風機の後ガードの中心に対する脱臭カートリッジの中心の位置を後ガードの中心から上方又は下方に移動させることができるから、業務用扇風機の風量や風速に応じて脱臭カートリッジの中心の位置を後ガードの中心から上方又は下方に移動させることができ、脱臭カートリッジの脱臭機能を利用して空気に含まれる臭気成分やたばこ臭、ノネナール臭を脱臭カートリッジによって確実に取り除きつつ、業務用扇風機に流入する空気の抵抗にならないように、脱臭カートリッジから流出して業務用扇風機に流入する空気の風量を最適に調節することができる。扇風機用脱臭具は、フレキシブルチューブを直線状又は曲線状に変形させることで、脱臭カートリッジの空気流出前面のモーターケースとの離間寸法を変更し、脱臭カートリッジの空気流出前面の後ガードに対する傾斜角度を変更することができるから、業務用扇風機の風量や風速に応じて脱臭カートリッジの空気流出前面のモーターケースとの離間寸法や脱臭カートリッジの空気流出前面の後ガードに対する傾斜角度を変更することができ、脱臭カートリッジの脱臭機能を利用して空気に含まれる臭気成分やたばこ臭、ノネナール臭を脱臭カートリッジによって確実に取り除きつつ、業務用扇風機に流入する空気の抵抗にならないように、脱臭カートリッジから流出して業務用扇風機に流入する空気の風量を最適に調節することができる。
【００２２】
脱臭カートリッジが連続気泡を有する所定厚みの軟質ポリウレタンフォームと、臭気を吸着する活性炭粉末とから作られ、軟質ポリウレタンフォームがその前面と後面との間に延びる複数の通気路と、通気路につながって前面と後面とに開口する複数の通気口とを有し、活性炭粉末が所定のバインダーによって軟質ポリウレタンフォームの通気路の壁面に固着され、軟質ポリウレタンフォームの前面全域と後面全域とのうちのいずれか一方がフィルタ機能を有する通気性シートに包被され、軟質ポリウレタンフォームの前面全域と後面全域とのうちのいずれか他方が複数の網目を有する通気性ネットに包被されている扇風機用脱臭具は、脱臭カートリッジが連続気泡を有する軟質ポリウレタンフォームから作られているとともに、空気に含まれる臭気成分やたばこ臭、ノネナール臭を吸着する活性炭粉末が壁面に固着され、空気が脱臭カートリッジの通気路を通流するときに壁面に固着された活性炭粉末に接触するから、空気に含まれる臭気成分やたばこ臭、ノネナール臭を活性炭粉末に吸着させることができ、業務用扇風機に流入する空気に含まれる臭気成分やたばこ臭、ノネナール臭を確実に取り除くことができる。扇風機用脱臭具は、空気に含まれる臭気成分やたばこ臭、ノネナール臭が活性炭粉末によって除去されるから、それら臭いを除去した清浄な空気を作ることができ、業務用扇風機による送風と同時に無臭かつ清浄な空気を業務用扇風機の前方へ送風することができる。扇風機用脱臭具は、軟質ポリウレタンフォームの前面全域と後面全域とのうちのいずれか一方がフィルタ機能を有する通気性シートに包被されているから、業務用扇風機に流入する空気に含まれる微細な塵埃や花粉、ＰＭ２．５等の不純物を通気性シートによって除去することができ、それら不純物を除去した空気を作ることができるとともに、業務用扇風機による送風と同時に不純物を除去した空気を業務用扇風機から送風することができる。また、塵埃や花粉、ＰＭ２．５等の不純物が通気性シートに捕集されることで、それら不純物の業務用扇風機による拡散を防ぐことができる。
【００２３】
脱臭カートリッジが軟質ポリウレタンフォームを支持する支持フレームを含み、支持フレームが軟質ポリウレタンフォームの外周縁を支持する外周フレームと外周フレームに繋がって外周フレームから径方向内方へ延びる連結フレームとから形成されている扇風機用脱臭具は、支持フレームの外周フレームや連結フレームによって軟質ポリウレタンフォームが支持され、支持フレームに支持されたポリ軟質ウレタンフォーム（脱臭カートリッジ）を業務用扇風機の後ガードの後方に位置させることができるから、業務用扇風機に流入する前の空気を脱臭カートリッジに確実に流入させることができ、空気に含まれる臭気成分やたばこ臭、ノネナール臭を脱臭カートリッジによって取り除くことができる。
【００２４】
軟質ポリウレタンフォームの通気路が壁面に囲繞されて軟質ポリウレタンフォームの前面と後面との間に延出し、前面と後面との間でポリウレタンフォームの厚み方向へ不規則に曲折しながら延びているとともに、軟質ポリウレタンフォームの外周縁と中心との間でポリウレタンフォームの径方向へ不規則に曲折しながら延びている扇風機用脱臭具は、通気路が前面から後面に向かって直状に延びる場合と比較し、軟質ポリウレタンフォームの内部における通気路の全長を長くすることができるとともに、ポリウレタンフォームの壁面の比表面積を大きくすることができるから、軟質ウレタンフォーム（脱臭カートリッジ）における臭気吸着機能を向上させることができ、業務用扇風機に流入する空気に含まれる臭気成分やたばこ臭、ノネナール臭を脱臭カートリッジ（活性炭粉末）によって確実に取り除くことができるとともに、業務用扇風機による送風と同時に清浄な空気を業務用扇風機の前方へ送風することができる。
【００２５】
径方向へ隣接して厚み方向へ曲折して延びるそれら通気路が径方向において部分的に繋がり、厚み方向へ隣接して径方向へ曲折して延びるそれら通気路が厚み向において部分的に繋がっている扇風機用脱臭具は、軟質ポリウレタンフォームの内部における通気路の全長が長くなり、空気が隣接する通気路に進入することで、活性炭粉末に対する空気の接触時間を長くすることができるから、軟質ウレタンフォーム（脱臭カートリッジ）における臭気吸着機能を向上させることができ、業務用扇風機に流入する空気に含まれる臭気成分やたばこ臭、ノネナール臭を脱臭カートリッジ（活性炭粉末）によって確実に取り除くことができるとともに、業務用扇風機による送風と同時に清浄な空気を業務用扇風機の前方へ送風することができる。
【００２６】
それら通気路の開口面積が厚み方向に向かって不規則に変化しているとともに、径方向に向かって不規則に変化し、それら通気口の面積が相違している扇風機用脱臭具は、通気路の開口面積が同一である場合と比較し、通気路を通過する空気が通気路を形成する壁面に確実に衝突するから、軟質ウレタンフォーム（脱臭カートリッジ）における臭気吸着機能を向上させることができ、業務用扇風機に流入する空気に含まれる臭気成分やたばこ臭、ノネナール臭を脱臭カートリッジ（活性炭粉末）によって確実に取り除くことができるとともに、業務用扇風機による送風と同時に清浄な業務用扇風機の前方へ空気を送風することができる。
【００２７】
軟質ポリウレタンフォームの厚み寸法が３〜１０ｍｍの範囲にある扇風機用脱臭具は、軟質ポリウレタンフォームの厚み寸法を前記範囲にすることで、通気路の壁面の比表面積を大きくすることができるから、軟質ウレタンフォーム（脱臭カートリッジ）における臭気吸着機能を向上させることができ、業務用扇風機に流入する空気に含まれる臭気成分やたばこ臭、ノネナール臭を脱臭カートリッジ（活性炭粉末）によって確実に取り除くことができるとともに、業務用扇風機による送風と同時に清浄な空気を業務用扇風機の前方へ送風することができる。
【００２８】
軟質ポリウレタンフォームの質量が３０〜６０ｇの範囲にある扇風機用脱臭具は、軟質ポリウレタンフォームの質量が前記範囲にあり、脱臭カートリッジを軽量にすることができるから、脱臭カートリッジがホルダーに容易に支持され、ホルダーに支持された脱臭カートリッジを業務用扇風機の後ガードの後方に容易に位置させることができる。扇風機用脱臭具は、ホルダーに脱臭カートリッジを容易に取り付けることができるとともに、脱臭カートリッジをホルダーから容易に取り外すことができ、扇風機用脱臭具の業務用扇風機への設置作業や交換作業を容易に行うことができる。
【００２９】
軟質ポリウレタンフォームの面速が２０〜４０ｃｍ／ｓｅｃの範囲にある扇風機用脱臭具は、軟質ポリウレタンフォームの面速が前記範囲にあるから、軟質ウレタンフォーム（脱臭カートリッジ）が業務用扇風機に流入する空気の抵抗になることはなく、業務用扇風機に空気をスムーズに流入させることができ、脱臭カートリッジ（活性炭粉末）によって臭気成分やたばこ臭、ノネナール臭が除去された清浄な空気を業務用扇風機の前方へ円滑に送風することができる。また、脱臭カートリッジ（活性炭粉末）に流入する空気が脱臭カートリッジの通気路を瞬時に通過することがないから、通気路の壁面に空気を十分に接触させることができ、空気に含まれる臭気成分やたばこ臭、ノネナール臭を脱臭カートリッジ（活性炭粉末）に確実に吸着させることができる。
【００３０】
フィルタ機能を有する通気性シートが中高性能フィルタ又はＨＥＰＡフィルタである扇風機用脱臭具は、空気に含まれる微細な塵埃や花粉、ＰＭ２．５5等の不純物をそれらフィルタによって確実に除去することができるから、それらフィルタを利用してそれら不純物を除去した空気を作ることができ、業務用扇風機による送風と同時に不純物を除去した空気を送風することができる。
【００３１】
フィルタ機能を有する通気性シートがエレクトレット化されている扇風機用脱臭具は、通気性シートの静電作用によって空気に含まれる微細な塵埃や花粉、ＰＭ２．５等の不純物が通気性シートに効率よく捕集されるから、通気性シートを利用してそれら不純物を除去した空気を作ることができ、業務用扇風機による送風と同時に不純物を除去した空気を送風することができる。また、塵埃や花粉、ＰＭ２．５等の不純物が通気性シートに捕集されることで、それら不純物の業務用扇風機による拡散を防ぐことができる。
【図面の簡単な説明】
【００３２】
【図１】一例として示す扇風機用脱臭具の斜視図。
【図２】支持フレームに支持された脱臭カートリッジの正面図。
【図３】支持フレームに支持された脱臭カートリッジの背面図。
【図４】支持フレームを除いた脱臭カートリッジの正面斜視図。
【図５】支持フレームを除いた脱臭カートリッジの背面斜視図。
【図６】軟質ポリウレタンフォームの部分拡大斜視図。
【図７】扇風機用脱臭具を取り付けた業務用扇風機の前方斜視図。
【図８】扇風機用脱臭具を取り付けた業務用扇風機の後方斜視図。
【図９】扇風機用脱臭具を取り付けた業務用扇風機の背面斜視図。
【図１０】扇風機用脱臭具を取り付けた業務用扇風機の拡大側面図。
【考案を実施するための形態】
【００３３】
一例として示す扇風機用脱臭具１０の斜視図である図１等の添付の図面を参照し、本考案にかかる扇風機用脱臭具の詳細を説明すると、以下のとおりである。なお、図２は、支持フレーム２０に支持された脱臭カートリッジ１２の部分破断正面図であり、図３は、支持フレーム２０に支持された脱臭カートリッジ１２の部分破断背面図である。図４は、支持フレーム２０を除いた脱臭カートリッジ１２の部分破断正面斜視図であり、図５は、支持フレーム２０を除いた脱臭カートリッジ１２の部分破断背面斜視図である。図６は、軟質ポリウレタンフォーム１９の部分拡大斜視図である。図１では、径方向を矢印Ｘ、厚み方向を矢印Ｙ、周り方向を矢印Ｚで示す。
【００３４】
扇風機用脱臭具１０は、業務用扇風機１１に着脱可能に取り付けられ、業務用扇風機１１を通過する空気に含まれる臭い（臭気成分やたばこ臭、ノネナール臭）の除去に好適に使用される。扇風機用脱臭具１０は、脱臭カートリッジ１２とホルダー１３とから形成されている。脱臭カートリッジ１２は、所定面積の空気流出前面１４及び空気流入後面１５を有して業務用扇風機１１のモーターケース１６の直後に配置され、業務用扇風機１１の後ガード１７から羽根１８に流入する前の空気の臭気成分を脱臭する。脱臭カートリッジ１２は、連続気泡を有する所定厚みの軟質ポリウレタンフォーム１９と、臭気を吸着する活性炭粉末（図示せず）と、軟質ポリウレタンフォーム１９を支持する支持フレーム２０とから作られている。
【００３５】
軟質ポリウレタンフォーム１９には、トリレンジイソシアネートとポリエーテルポリオール等を原料とするポリエーテル系フォーム、または、トリレンジイソシアネートと分岐ポリエステルポリオール等を原料とするポリエステル系フォームが使用されている。軟質ポリウレタンフォーム１９は、フォーム原料に気泡径の調整等に使用する添加剤を加え、水と発泡助剤とによって発泡が行われる。軟質ポリウレタンフォーム１９は、連続気泡を有するとともに所定の厚みを有し、弾性変形可能かつ可撓性を有する。軟質ポリウレタンフォーム１９には、活性炭粉末（図示せず）が塗布されている。
【００３６】
軟質ポリウレタンフォーム１９は、平面形状が円形の所定面積の前面２１と、平面形状が円形の所定面積の後面２２と、周り方向へ環状に延びる外周縁部２３と、前後面２１，２２間に延びる複数の通気路２４と、通気路２４につながって前後面２１，２２に開口する複数の通気口２５とを有する（図６参照）。なお、前面２１や後面２２の平面形状は円形に限定されず、正方形や長方形、多角形、楕円形等の他の形状であってもよい。
【００３７】
それら通気路２４は、軟質ポリウレタンフォーム１９の壁面２６に囲繞されてポリウレタンフォーム１９の内部に画成されている。通気路２４を画成する壁面２６には、活性炭粉末の被覆層が形成されている。それら通気路２４は、前面２１と後面２２との間において軟質ポリウレタンフォーム１９の厚み方向へ不規則に曲折しながら延びているとともに、ポリウレタンフォーム１９の外周縁２３とポリウレタンフォーム１９の中心２７との間においてポリウレタンフォーム１９の径方向へ不規則に曲折しながら延びている。
【００３８】
径方向へ隣接して厚み方向へ曲折して延びるそれら通気路２４は、径方向において部分的に繋がり、一方の通気路２４と他方の通気路２４とが互いに連通している。厚み方向へ隣接して径方向へ曲折して延びるそれら通気路２４は、厚み向において部分的に繋がり、一方の通気路２４と他方の通気路２４とが互いに連通している。
【００３９】
それら通気路２４の開口面積は、厚み方向に向かって一様ではなく、厚み方向に向かって不規則に変化しているとともに、径方向に向かって一様ではなく、径方向に向かって不規則に変化している。それら通気路２４は、その開口面積が大きくなったり、小さくなったりしながら厚み方向と径方向とへ不規則に開口している。また、通気路２４に繋がるそれら通気口２５は、その面積が一様ではなく、その面積が相違している。
【００４０】
軟質ポリウレタンフォーム１９は、その厚み寸法が３〜１０ｍｍの範囲、好ましくは４〜６ｍｍの範囲にある。軟質ポリウレタンフォーム１９の厚み寸法が３ｍｍ未満では、ポリウレタンフォーム１９の壁面２６の比表面積を大きくすることができず、脱臭カートリッジ１２（軟質ポリウレタンフォーム１９）の臭気吸着機能を向上させることができない。軟質ポリウレタンフォーム１９の厚み寸法が１０ｍｍを超過すると、脱臭カートリッジ１２（軟質ポリウレタンフォーム１９）の空気抵抗が大きく、脱臭カートリッジ１２が業務用扇風機１１に流入する空気の抵抗になり、業務用扇風機１１に空気をスムーズに流入させることができない。
【００４１】
軟質ポリウレタンフォーム１９の厚み寸法が前記範囲にあるから、ポリウレタンフォーム１９の壁面２６の比表面積を大きくすることができ、脱臭カートリッジ１２（軟質ポリウレタンフォーム１９）の臭気吸着機能を向上させることができ、業務用扇風機１１に流入する空気に含まれる臭気成分やたばこ臭、ノネナール臭をポリウレタンフォーム１９に塗布された活性炭粉末に確実に吸着させることができる。また、脱臭カートリッジ１２（軟質ポリウレタンフォーム１９）が業務用扇風機１１に流入する空気の抵抗になることはなく、業務用扇風機１１に空気をスムーズに流入させることができる。
【００４２】
軟質ポリウレタンフォーム１９は、その質量が３０〜６０ｇの範囲にある。軟質ポリウレタンフォーム１９の質量が前記範囲にあり、脱臭カートリッジ１２を軽量にすることができるから、脱臭カートリッジ１２がホルダー１３に容易に支持され、ホルダー１３に支持された脱臭カートリッジ１２を業務用扇風機１１の後ガード１７の後方に容易に位置させることができる。更に、ホルダー１３に脱臭カートリッジ１２を容易に取り付けることができるとともに、脱臭カートリッジ１２をホルダー１３から容易に取り外すことができ、扇風機用脱臭具１０の業務用扇風機１１への設置作業や交換作業を容易に行うことができる。
【００４３】
軟質ポリウレタンフォーム１９は、その面速が２０〜４０ｃｍ／ｓｅｃの範囲、好ましくは２５〜３５ｃｍ／ｓｅｃの範囲にある。軟質ポリウレタンフォーム１９の面速が２０ｃｍ／ｓｅｃ未満では、空気がポリウレタンフォーム１９をスムーズに通流することができず、脱臭カートリッジ１２（軟質ポリウレタンフォーム１９）が業務用扇風機１１に流入する空気の抵抗になり、業務用扇風機１１に空気をスムーズに流入させることができない。軟質ポリウレタンフォーム１９の面速が４０ｃｍ／ｓｅｃを超過すると、空気がポリウレタンフォーム１９の通気路２４を瞬時に通過し、ポリウレタンフォーム１９の通気路２４の壁面２６に空気を十分に接触させることができず、空気に含まれる臭気成分やたばこ臭、ノネナール臭をポリウレタンフォーム１９に塗布された活性炭粉末に十分に吸着させることができない。
【００４４】
軟質ポリウレタンフォーム１９の面速が前記範囲にあるから、脱臭カートリッジ１２（軟質ポリウレタンフォーム１９）が業務用扇風機１１に流入する空気の抵抗になることはなく、業務用扇風機１１に空気をスムーズに流入させることができる。また、業務用扇風機１１に流入した空気が軟質ポリウレタンフォーム１９の通気路２４を瞬時に通過することはなく、ポリウレタンフォーム１９の通気路２４の壁面２６に空気を十分に接触させることができ、空気に含まれる臭気成分やたばこ臭、ノネナール臭をポリウレタンフォーム１９に塗布された活性炭粉末に確実に吸着させることができる。
【００４５】
軟質ポリウレタンフォーム１９は、その前面２１全域が複数の網目を有する通気性ネット２８（網）に包被されている。通気性ネット２８には、メッシュ数が１０メッシュ（１００×１００メッシュ）や１２メッシュ（１２０×１２０メッシュ）、２４メッシュ（２４０×２４０メッシュ）、３２メッシュ（３２０×３２０メッシュ）等を使用することができる。
【００４６】
軟質ポリウレタンフォーム１９は、その後面２２全域がフィルタ機能を有する通気性シート２９に包被されている。通気性シート２９には、中高性能フィルタ又はＨＥＰＡフィルタが使用されている。通気性シート２９は、エレクトレット化されている。通気性シート２９をエレクトレット化する一例としては、エレクトレット処理装置を利用し、針状電極と電極との距離を２５ｍｍとし、印可電圧を２５ｋｖとするとともに、処理温度を８０℃としてエレクトレット処理を行う。なお、通気性シート２９がエレクトレット化されていなくてもよい。通気性シート２９（中高性能フィルタ又はＨＥＰＡフィルタ）や通気性ネット２８は、軟質ポリウレタンフォーム１９の外周縁部２３において重なり合う部分が縫製され、または、外周縁部２３において重なり合う部分が熱融着（ソニックシールやヒートシール）によって固着されている。
【００４７】
活性炭粉末は、所定のバインダー（接着剤）によって軟質ポリウレタンフォーム１９の壁面２６（前後面２１，２２および通気路２４の壁面２６）に固着されている。軟質ポリウレタンフォーム１９の壁面２６に活性炭粉末を塗布（固着）する一例は、ポリウレタンフォーム１９の一方の面から他方の面に向かって空気を通流させつつ、活性炭粉末とバインダーとの混合塗料をポリウレタンフォーム１９の一方の面に吹き付け塗装し、その混合塗料を乾燥させる。軟質ポリウレタンフォーム１９の壁面２６に活性炭粉末を塗布（固着）する他の一例は、活性炭粉末とバインダーとの混合塗料にポリウレタンフォーム１９をドブ付けし、その混合塗料を乾燥させる。活性炭粉末を塗布した軟質ポリウレタンフォーム１９では、ポリウレタンフォーム１９の壁面２６に活性炭粉末が積層され、ポリウレタンフォーム１９の壁面２６に活性炭の被覆層が形成される。
【００４８】
活性炭粉末は、約３００〜５０００ｍ2／ｇの比表面積を有し、高い臭気吸着機能（ヨウ素やガス状セシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。
【００４９】
支持フレーム２０は、合成樹脂（プラスチック）から作られ、軟質ポリウレタンフォーム１９の前面２１の側に位置する第１支持フレーム３０と、軟質ポリウレタンフォーム１９の後面２２の側に位置する第２支持フレーム３１とから形成されている。第１支持フレーム３０は、軟質ポリウレタンフォーム１９の外周縁部２３を包被して外周縁部２３を支持する第１外周フレーム３２と、第１外周フレーム３２に繋がって第１外周フレーム３２から径方向内方へ延びる第１連結フレーム３３とから形成されている。第１外周フレーム３２と第１連結フレーム３３とは、一体成形されている。第２支持フレーム３１は、軟質ポリウレタンフォーム１９の外周縁部２３を包被して外周縁部２３を支持する第２外周フレーム３４と、第２外周フレーム３４に繋がって第２外周フレーム３４から径方向内方へ延びる第２連結フレーム３５とから形成されている。第２外周フレーム３４と第２連結フレーム３５とは、一体成形されている。
【００５０】
第１支持フレーム３０と第２支持フレーム３１とは、それらの外周フレーム３２，３４に螺着されたボルト３６によって連結されている。第１及び第２支持フレーム３０，３１の外周フレーム３２，３４の内側には、軟質ポリウレタンフォーム１９の外周縁部２３が位置する。第１支持フレーム３０の第１連結フレーム３３の内側には、軟質ポリウレタンフォーム１９の前面２１が位置し、第２支持フレーム３１の第２連結フレーム３５の内側には、軟質ポリウレタンフォーム１９の後面２２が位置する。第１及び第２外周フレーム３２，３４からボルト３６を取り外し、第１支持フレーム３０と第２支持フレーム３１とを分離させることで、軟質ポリウレタンフォーム１９をそれら支持フレーム３０，３１から取り外し、あらたな軟質ポリウレタンフォーム１９をそれら支持フレーム３０，３１に設置することで、軟質ポリウレタンフォーム１９を交換することができる。
【００５１】
ホルダー１３は、脱臭カートリッジ１２を支持しつつ、脱臭カートリッジ１２を業務用扇風機１１のモーターケース１６の後方に位置させる。ホルダー１３は、一方向（軸方向）へ長いフレキシブルチューブ３７と、第１クリップ３８及び第２クリップ３９とから形成されている。フレキシブルチューブ３７は、金属製又は合成樹脂製であり、直線状及び曲線状に変形しつつ変形した状態を保持することができる。
【００５２】
第１クリップ３８（鰐口クリップ）は、フレキシブルチューブ３７の下端部４０に設置され、押圧把持部４１と挟持部４２とを有する。第１クリップ３８は、その挟持部４２によって業務用扇風機１１のモーターケース１６の下方に延びるヘッド部４３を挟み込む。第２クリップ３９（鰐口クリップ）は、フレキシブルチューブ３７の上端部４４に設置され、押圧把持部４５と挟持部４６とを有する。第２クリップ３９は、その挟持部４６で脱臭カートリッジ１２の外周縁部を挟み込む。
【００５３】
図７は、扇風機用脱臭具１０を取り付けた業務用扇風機１１の前方斜視図であり、図８は、扇風機用脱臭具１０を取り付けた業務用扇風機１１の後方斜視図である。図９は、扇風機用脱臭具１０を取り付けた業務用扇風機１１の背面斜視図であり、図１０は、扇風機用脱臭具１０を取り付けた業務用扇風機１１の拡大側面図である。
【００５４】
扇風機用脱臭具１０を業務用扇風機１１に取り付ける手順は、以下のとおりである。ホルダー１３の第２クリップ３９の押圧把持部４５を押圧し、第２クリップ３９の挟持部４６を拡開し、第２クリップ３９の挟持部４６で脱臭カートリッジ１２の外周縁部（第１及び第２支持フレーム３０，３１の外周フレーム３２，３４）を挟み込む。
【００５５】
次に、ホルダー１３の第１クリップ３８の押圧把持部４１を押圧し、第１クリップ３８の挟持部４２を拡開する。第１クリップ３８の挟持部４２を拡開した状態で、第１クリップ３８の挟持部４２の間に業務用扇風機１１のヘッド部４３を位置させ、第１クリップ３８の押圧把持部４１の押圧を解除し、第１クリップ３８の挟持部４２で業務用扇風機１１のヘッド部４３を挟み込む。第１クリップ３８の挟持部４２で業務用扇風機１１のヘッド部４３を挟み込むと、第１クリップ３８を介して扇風機用脱臭具１０が業務用扇風機１１に設置・固定される。
【００５６】
第１クリップ３８によって扇風機用脱臭具１０を業務用扇風機１１に設置・固定した後、ホルダー１３のフレキシブルチューブ３７を折り曲げ、又は、フレキシブルチューブ３７を直状に変形（修正）させ、更に、図７〜図１０に示すように、扇風機用脱臭具１０を業務用扇風機１１のモーターケース１６の直後であって、脱臭カートリッジ１２の空気流出前面１４及び空気流入後面１５が業務用扇風機１１の後ガード１７に平行するように、ヘッド部４３に対する第１クリップ３８の挟み込み位置を上下方向に変更するとともに、フレキシブルチューブ３７を直線状又は曲線状に微変形（微修正）させる。扇風機用脱臭具１０は、業務用扇風機１１のヘッド部４３に対する第１クリップ３８の挟み込み位置を上下方向に変更するとともに、フレキシブルチューブ３７を直線状又は曲線状に変形させることで、脱臭カートリッジ１２の空気流出前面１４をモーターケース１６の直後であって業務用扇風機１１の後ガード１７に平行させることができる。
【００５７】
扇風機用脱臭具１０を業務用扇風機１１に設置した後、業務用扇風機１１を起動させると、業務用扇風機１１の羽根１８が回転し、羽根１８の回転によって空気が後ガード１７の全域であってから後ガード１７の後方から羽根１８に進入し、空気が羽根１８の回転によって前方へ送風され、前ガード４７を通過して業務用扇風機１１の前方へ送風される。業務用扇風機１１（モーターケース１６）の後方に位置する空気は、業務用扇風機１１における空気の流動によって、脱臭カートリッジ１２の空気流入後面１５から脱臭カートリッジ１２の内部に流入する。
【００５８】
脱臭カートリッジ１２の空気流入後面１５から脱臭カートリッジ１２に流入する空気は、エレクトレット化された通気性シート２９（中高性能フィルタ又はＨＥＰＡフィルタ）を通流する過程において、空気に含まれる塵埃や花粉、ＰＭ２．５等の不純物が通気性シート２９に捕集され、それら不純物が除去される。不純物が除去された空気は、軟質ポリウレタンフォーム１９の前面２１に開口する通気口２５からポリウレタンフォーム１９の前後面２１，２２間に延びる複数の通気路２４に進入する。通気路２４に進入した空気は、通気路２４を形成する壁面２６に接触（衝突）しつつ、通気路２４を通って軟質ポリウレタンフォーム１９の後面２２に開口する通気口２５から流出し、脱臭カートリッジ１２の空気流出後面１４から業務用扇風機１１の後ガード１７に向かって開放される。
【００５９】
通気路２４に進入した空気は、軟質ポリウレタンフォーム１９の内部において厚み方向と径方向とへ不規則に曲折しながら延びる通気路２４の壁面２６に接触（衝突）し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭が通気路２４の壁面２６に形成された活性炭粉末の被覆層に吸着される。
【００６０】
通気性シート２９（中高性能フィルタ又はＨＥＰＡフィルタ）によって塵埃や花粉、ＰＭ２．５等の不純物が除去され、活性炭粉末によって臭気成分やたばこ臭、ノネナール臭が除去された無臭かつ清浄な空気は、軟質ポリウレタンフォーム１９の空気流出後面１５から業務用扇風機１１の後ガード１７に向かって流動し、後ガード１７から羽根１８に向かって流入し、業務用扇風機１１の前ガード４７の前方へ送風される。
【００６１】
扇風機用脱臭具１０は、業務用扇風機１１のヘッド部４３に対する第１クリップ３８の挟み込み位置を上下方向へ変更し、フレキシブルチューブ３７を直線状又は曲線状に変形させることで、ホルダー１３に支持された脱臭カートリッジ１２の空気流出前面１４をモーターケース１６の直後であって業務用扇風機１１の後ガード１７に平行させることができるから、業務用扇風機１１の後ガード１７から羽根１８に流入する前の空気が脱臭カートリッジ１２の空気流入後面１５から脱臭カートリッジ１２の内部に流入し、その空気に含まれる臭気成分やたばこ臭、ノネナール臭を脱臭カートリッジ１２によって取り除くことができ、その後、臭気成分やたばこ臭、ノネナール臭が取り除かれた無臭かつ清浄な空気が業務用扇風機１１に流入し、業務用扇風機１１による送風と同時に無臭かつ清浄な空気を業務用扇風機１１の前方へ送風することができる。
【００６２】
扇風機用脱臭具１０は、脱臭カートリッジ１２が連続気泡を有する軟質ポリウレタンフォーム１９から作られているとともに、空気に含まれる臭気成分やたばこ臭、ノネナール臭を吸着する活性炭粉末がポリウレタンフォーム１９の壁面２６に固着され、ポリウレタンフォーム１９の厚み方向と径方向とへ不規則に曲折しながら延びる通気路２４を空気が通流するときに壁面２６に固着された活性炭粉末に接触するから、空気に含まれる臭気成分やたばこ臭、ノネナール臭を活性炭粉末に吸着させることができ、業務用扇風機１１に流入する空気に含まれる臭気成分やたばこ臭、ノネナール臭を確実に取り除くことができる。
【００６３】
扇風機用脱臭具１０は、通気路２４が軟質ポリウレタンフォーム１９の厚み方向と径方向とへ不規則に曲折しながら延びているとともに、通気路２４の開口面積が一様ではなく不規則に変化しているから、通気路２４がポリウレタンフォーム１９の前面２１から後面２２に向かって直状に延びる場合及び通気路２４の開口面積が同一である場合と比較し、ポリウレタンフォーム１９の内部における通気路２４の全長を長くすることができるとともに、ポリウレタンフォーム１９の壁面２６の比表面積を大きくすることができ、活性炭粉末に対する空気の接触時間を長くすることができ、ウレタンフォーム１９（脱臭カートリッジ１２）における臭気吸着機能を向上させることができるとともに、業務用扇風機１１に流入する空気に含まれる臭気成分やたばこ臭、ノネナール臭を脱臭カートリッジ１２（活性炭粉末）によって確実に取り除くことができる。
【００６４】
扇風機用脱臭具１０は、空気に含まれる微細な塵埃や花粉、ＰＭ２．５等の不純物がエレクトレット化された通気性シート２９（中高性能フィルタ又はＨＥＰＡフィルタ）の静電作用によって効率よく捕集され、通気性シート２９によって不純物を確実に除去することができるから、通気性シート２９を利用してそれら不純物を除去した空気を作ることができ、業務用扇風機１１による送風と同時に不純物を除去した空気を送風することができる。また、塵埃や花粉、ＰＭ２．５等の不純物が通気性シート２９に捕集されることで、それら不純物の業務用扇風機１１による拡散を防ぐことができる。
【００６５】
扇風機用脱臭具１０では、業務用扇風機１１のヘッド部４３に対する第１クリップ３８の挟み込み位置を上下方向へ移動させることで、業務用扇風機１１の後ガード１７の中心に対する脱臭カートリッジ１２の中心２７の位置を後ガード１７の中心から上方又は下方に移動させることが可能である。例えば、業務用扇風機１１のヘッド部４３に対する第１クリップ３８の挟み込み位置をヘッド部４３の下方へ移動させることで、業務用扇風機１１の後ガード１７の中心に対して脱臭カートリッジ１２の中心２７を下方に位置させ、業務用扇風機１１の後ガード１７に対して脱臭カートリッジ１２を下方へずらすことができる。また、業務用扇風機１１のヘッド部４３に対する第１クリップ３８の挟み込み位置をヘッド部４３の上方へ移動させることで、業務用扇風機１１の後ガード１７の中心に対して脱臭カートリッジ１２の中心２７を上方に位置させ、業務用扇風機１１の後ガード１７に対して脱臭カートリッジ１２を上方へずらすことができる。
【００６６】
扇風機用脱臭具１０は、業務用扇風機１１のヘッド部４３に対する第１クリップ３８の挟み込み位置を上下方向へ移動させることで、業務用扇風機１１の後ガード１７の中心に対する脱臭カートリッジ１２の中心２７の位置を後ガード１７の中心から上方又は下方に移動させることができるから、業務用扇風機１１の風量や風速に応じて脱臭カートリッジ１２の中心２７の位置を後ガード１７の中心から上方又は下方に移動させることができ、脱臭カートリッジ１２の脱臭機能を利用して空気に含まれる臭気成分やたばこ臭、ノネナール臭を脱臭カートリッジ１２によって確実に取り除きつつ、業務用扇風機１１に流入する空気の抵抗にならないように、脱臭カートリッジ１２から流出して業務用扇風機１１に流入する空気の風量を最適に調節することができる。
【００６７】
扇風機用脱臭具１０では、フレキシブルチューブ３７を直線状又は曲線状に変形させることで、脱臭カートリッジ１２の空気流出前面１４のモーターケース１６との離間寸法を変更可能である。例えば、フレキシブルチューブ３７を直線状に伸ばすことで、脱臭カートリッジ１２の空気流出前面１４をモーターケース１６の後方へ離し、脱臭カートリッジ１２の空気流出前面１４とモーターケース１６（後ガード１７）との間の離間寸法を大きくすることができる。また、フレキシブルチューブ３７を曲線状に折り曲げることで、脱臭カートリッジ１２の空気流出前面１４をモーターケース１６に近づけ、脱臭カートリッジ１２の空気流出前面１４とモーターケース１６（後ガード１７）との間の離間寸法を小さくすることができる。
【００６８】
扇風機用脱臭具１０は、フレキシブルチューブ３７を直線状又は曲線状に変形させることで、脱臭カートリッジ１２の空気流出前面１４のモーターケース１６（後ガード１７）との離間寸法を変更することができるから、業務用扇風機１１の風量や風速に応じて脱臭カートリッジ１２の空気流出前面１４のモーターケース１６（後ガード１７）との離間寸法を変更することができ、脱臭カートリッジ１２の脱臭機能を利用して空気に含まれる臭気成分やたばこ臭、ノネナール臭を脱臭カートリッジによって確実に取り除きつつ、業務用扇風機１１に流入する空気の抵抗にならないように、脱臭カートリッジ１２から流出して業務用扇風機１１に流入する空気の風量を最適に調節することができる。
【００６９】
扇風機用脱臭具１０では、フレキシブルチューブ３７を直線状又は曲線状に変形させることで、脱臭カートリッジ１２の空気流出前面１４の後ガード１７に対する傾斜角度を変更可能である。例えば、フレキシブルチューブ３７を直線的に傾斜させ、又は、フレキシブルチューブ３７を曲線状に変形させることで、脱臭カートリッジ１２の空気流出前面１４及び空気流入後面１５を業務用扇風機１１の後ガード１７に平行させることなく、空気流出前面１４及び空気流入後面１５を後ガード１７に対して所定の角度で傾斜させることができる。
【００７０】
扇風機用脱臭具１０は、フレキシブルチューブ３７を直線状又は曲線状に変形させることで、脱臭カートリッジ１２の空気流出前面１４の後ガード１７に対する傾斜角度を変更することができるから、業務用扇風機１１の風量や風速に応じて脱臭カートリッジ１２の空気流出前面１４の後ガード１７に対する傾斜角度を変更することができ、脱臭カートリッジ１２の脱臭機能を利用して空気に含まれる臭気成分やたばこ臭、ノネナール臭を脱臭カートリッジによって確実に取り除きつつ、業務用扇風機１１に流入する空気の抵抗にならないように、脱臭カートリッジ１２から流出して業務用扇風機１１に流入する空気の風量を最適に調節することができる。
【符号の説明】
【００７１】
１０    扇風機用脱臭具
１１    業務用扇風機
１２    脱臭カートリッジ
１３    ホルダー
１４    空気流出前面
１５    空気流入後面
１６    モーターケース
１７    後ガード
１８    羽根
１９    軟質ポリウレタンフォーム
２０    支持フレーム
２１    前面
２２    後面
２３    外周縁部
２４    通気路
２５    通気口
２６    壁面
２７    中心
２８    通気性ネット
２９    通気性シート
３０    第１支持フレーム
３１    第２支持フレーム
３２    第１外周フレーム
３３    第１連結フレーム
３４    第２外周フレーム
３５    第２連結フレーム
３６    ボルト
３７    フレキシブルチューブ
３８    第１クリップ
３９    第２クリップ
４０    下端部
４１    押圧把持部
４２    挟持部
４３    ヘッド部
４４    上端部
４５    押圧把持部
４６    挟持部
４７    前ガード
【図１】
0003218570.tif 000003
【図２】
0003218570.tif 000004
【図３】
0003218570.tif 000005
【図４】
0003218570.tif 000006
【図５】
0003218570.tif 000007
【図６】
0003218570.tif 000008
【図７】
0003218570.tif 000009
【図８】
0003218570.tif 000010
【図９】
0003218570.tif 000011
【図１０】
0003218570.tif 000012